(57)【特許請求の範囲】
【請求項１】
上部旋回体に昇降用のステップを設けるとともに該ステップの近傍にハンドレールを取り付けた建設機械であって、
前記ステップは踏み面を横幅方向へ延設して、ツールボックス上面のプラットホームとほぼ同じ幅に形成すると共に、上記ハンドレールの取付部を被蔽して成る建設機械のステップ構造において、
上部に踏み面とハンドレール用の切り欠き部を設け、前部および側部に被蔽面を有し、
更に、上記踏み面は、間隔を有して複数枚の滑り止め板が鉛直方向よりやや傾斜して取り付けられており、かつ上記切り欠き部は上記ハンドレールの逃げと成り該ハンドレールの立ち上がり部分が該切り欠き部から上方向へ突出するように構成したことを特徴とする建設機械のステップ構造。
【発明の詳細な説明】
【技術分野】
【０００１】
本発明は建設機械のステップ構造に関するものであり、特に、上部旋回体に昇降用のステップを設けるとともに該ステップの近傍にハンドレールを取り付けた建設機械のステップ構造に関するものである。
【背景技術】
【０００２】
従来、此種建設機械は上部旋回体にエンジンや油圧装置などの機関部が搭載され、これらの機関部はハウスカバーにて被蔽されている。したがって、機関部を点検調整するためにハウスカバーの上面へ昇降することがあり、上部旋回体にステップを設けて昇降の容易化を図っている。また、昇降する作業者に不安を与えないようにステップの近傍にハンドレールを取り付けたものも多い。
【０００３】
図４は、一般的な建設機械のステップ構造を示し、上部旋回体の下部フレーム１にステップ２が設けられ、該ステップ２の背面部が溶接にて前記下部フレーム１に固定されている。このステップ２の近傍にハンドレール３が配設され、該ハンドレール３の下側先端部３ａがクランプ４により前記下部フレーム１へボルト締めにて取り付けられている。
【０００４】
ハンドレールの取付構造としては、ハンドレールの下側先端部を左右何れか一方向に屈曲してボルト締め固定し、該下側先端部から上方へ離間した上側部に上記とは反対方向へブラケットを介してボルト締め固定することにより、ハンドレールの支持を分散させた構成が知られている（例えば、特許文献１参照）。
【０００５】
また、ハンドレールの下側先端部を下部フレームの下面に沿って後方向へほぼ直角に屈曲させ、この屈曲部の両側をクランプにて固定し、ハンドレールの上側先端部を左右方向へほぼ直角に屈曲させ、この屈曲部の両側をクランプにて固定する構成も知られている（例えば、特許文献２参照）。
【特許文献１】特開２００４−４４１２２号公報
【特許文献２】特開２００５−１９４７７７号公報
【発明の開示】
【発明が解決しようとする課題】
【０００６】
建設機械のステップは、作業者の足掛けとなるため、上部旋回体の下部フレームから突出して設けられている。しかし、踏み面の横幅が狭く、一般に作業者の足幅程度に形成されているため、足を踏み外すおそれがあった。また、ステップの近傍に設けられているハンドレールの取付部が露出しているため、見栄えが良好ではなかった。
【０００７】
そこで、建設機械のステップの安全性を向上させるために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、上部旋回体に昇降用のステップを設けるとともに該ステップの近傍にハンドレールを取り付けた建設機械であって、
前記ステップは踏み面を横幅方向へ延設して、ツールボックス上面のプラットホームとほぼ同じ幅に形成すると共に、上記ハンドレールの取付部を被蔽して成る建設機械のステップ構造において、
上部に踏み面とハンドレール用の切り欠き部を設け、前部および側部に被蔽面を有し、
更に、上記踏み面は、間隔を有して複数枚の滑り止め板が鉛直方向よりやや傾斜して取り付けられており、かつ上記切り欠き部は上記ハンドレールの逃げと成り該ハンドレールの立ち上がり部分が該切り欠き部から上方向へ突出するように構成したことを特徴とする建設機械のステップ構造を提供する。
【０００９】
この構成によれば、ステップが横幅方向へ延設されてプラットホームとほぼ同じ幅に形成されているので、踏み面が広くなって昇降する作業者が確実に足を掛けることができる
。
【００１１】
この構成によれば、ステップが横幅方向へ延設されているので、踏み面が広くなって昇降する作業者が確実に足を掛けることができる。また、ステップ近傍に設けられたハンドレールの取付部を被蔽するので、美観が向上する。
【００１３】
この構成によれば、ステップの上部に設けた踏み面は作業者の足掛けとなり、切り欠き部はハンドレールの逃げとなって立ち上がり部分が上方向へ突出する。
【発明の効果】
【００１４】
本発明は、上述したように、ステップの踏み面を横幅方向へ延設して、プラットホームとほぼ同じ幅に形成したので、踏み面がきわめて広くなり、昇降する作業者が確実に足を掛けることができる。したがって、昇降時の安全性が著しく向上する。また、ハンドレールの取付部を被蔽するので、該取付部が他物に接触するのを防止でき、外観も良好となって商品価値が向上する。
【発明を実施するための最良の形態】
【００１５】
以下、本発明に係る建設機械のステップ構造について、好適な実施例をあげて説明する。建設機械のステップの安全性を向上させるという目的を達成するために、本発明は上部旋回体に昇降用のステップを設けた建設機械において、前記ステップは踏み面を横幅方向へ延設して、プラットホームとほぼ同じ幅に形成し、さらに、該ステップにてハンドレールの取付部を被蔽するとともに、該ステップの上部に踏み面とハンドレール用の切り欠き部を設け、前部および側部に被蔽面を有するように形成することにより実現した。
【実施例１】
【００１６】
図１は建設機械の一例として油圧ショベル１０を示し、下部走行体１１の上に旋回機構１２を介して上部旋回体１３が旋回自在に載置されている。上部旋回体１３にはその前方一側部にキャブ１４が設けられ、且つ、前方中央部にブーム１５が俯仰可能に取り付けられている。更に、ブーム１５の先端にアーム１６が上下回動自在に取り付けられ、該アーム１６の先端にバケット１７が取り付けられている。
【００１７】
そして、上部旋回体１３の後部にエンジン１８を搭載し、ハウスカバー１９にて被蔽する。また、上部旋回体１３の前方他側部にツールボックス２０が設けられており、上部旋回体１３の下部フレーム２１の前端部に、機体から前方へステップ２２を突設してある。さらに、前記ステップ２２の近傍からツールボックス２０およびハウスカバー１９の前部にかけて、それらの右側部（図１に於いて紙面の手前側）にハンドレール２３が取り付けられている。
【００１８】
図２および図３に示すように、該ステップ２２は下部が開放された箱枠形に形成され、上部２２ａに踏み面２４とハンドレール用の切り欠き部２５が設けられている。この踏み面２４は前記ツールボックス２０の上面に設けたプラットホーム２０ａとほぼ同じ幅に形
成されている。また、該ステップ２２の前部２２ｂおよび側部２２ｃに被蔽面を有し、上部旋回体１３の下部フレーム２１の前端面に該ステップ２２が溶接にて固定されている。
【００１９】
前記踏み面２４は作業者が上部旋回体１３に昇降する際の足掛けとなり、凹凸形状あるいは切欠形状など滑り防止対策が施されている。本実施例では、間隙を有して複数枚の滑り止め板２４ａが鉛直方向よりやや傾斜して取り付けられており、踏み面２４が横幅方向へ延設されているため、ほぼ中央位置に仕切り板２４ｂが設けられている。
【００２０】
また、前記切り欠き部２５はハンドレール２３の逃げとなり、ハンドレール２３の立ち上がり部分２３ａが該切り欠き部２５から上方向へ突出する。すなわち、ハンドレール２３の取付部２３ｂが、該ステップ２２によって被蔽されている。
【００２１】
このように、当該ステップ２２が溶接にて固定され、かつ、踏み面２４を横幅方向へ延設して、プラットホームとほぼ同じ幅に形成されているため、昇降時の足掛けがきわめて容易であり、作業者が確実に足を掛けることができる。また、ステップ２２がハンドレール２３の取付部２３ｂのカバーを兼ねているので、該取付部２３ｂがステップ２２によって被蔽され、外観が良好となって商品価値が向上する。
【００２２】
なお、本発明は、本発明の精神を逸脱しない限り種々の改変を為すことができ、そして、本発明が該改変されたものに及ぶことは当然である。
【図面の簡単な説明】
【００２３】
【図１】本発明が適用された油圧ショベルの側面図。
【図２】本発明に係るステップの斜視図。
【図３】本発明のステップを示し（ａ）平面図（ｂ）Ａ−Ａ断面図（ｃ）Ｂ−Ｂ断面図。
【図４】一般的な建設機械のステップ構造を示す説明図。
【符号の説明】
【００２４】
１０  油圧ショベル
１３  上部旋回体
２１  下部フレーム
２０  ツールボックス
２０ａ  プラットホーム
２２  ステップ
２３  ハンドレール
２３ｂ  取付部
２４  踏み面
２５  切り欠き部
【図１】
0004437472.tif 000002
【図２】
0004437472.tif 000003
【図３】
0004437472.tif 000004
【図４】
0004437472.tif 000005